(57)【要約】【課題】液晶モジュールの上端や下端での排熱効率を向上させると共に、使用される板金の量を減らしてコストダウンすることが可能な液晶テレビジョンおよび液晶パネル固定構造の提供を目的とする。【解決手段】上及び下パネルホルダ１５，１６の左右の幅を液晶モジュール１２の左右幅の１／２〜１／３とし、ヒレ部１５ｃと面１５ａとの間の角を潰すように絞り加工を施し、ヒレ部１６ｃと面１６ａとの間の角を潰すように絞り加工を施し、段差１５ｈ，１５ｉに面１５ｂから延出面１５ｄ，１５ｅまで段差内を連続して面状に凹まされる絞り加工を施し、段差１６ｈ，１６ｉに面１６ｂから延出面１６ｄ，１６ｅまで段差内を連続して面状に凹まされる絞り加工を施し、切り起し１５ｋ，１５ｇが折り返し部１３ａの後端部を挾持して上パネルホルダ１５を位置決めし、切り起し１６ｋ，１６ｌが折り返し部１３ｂの後端部を挾持して下パネルホルダ１６を位置決めする。【選択図】図６
2008216820.tif 000002
【特許請求の範囲】
【請求項１】
画面に映像を表示する液晶パネルと該液晶パネルを背面から照射するバックライトと該液晶パネルを駆動する駆動回路とがモジュール化された液晶モジュールと、
該液晶モジュールを前面側から覆いつつ略矩形の開口から前記液晶モジュールの画面を外部に露見させるフロントキャビネットと、
前記液晶モジュールの背面および上下左右側面を覆う金属製のシールド板と、
断面略Ｌ字型に成型されて、前記液晶モジュールの上側面から背面にかけての角を覆うように前記シールド板の背面上端に固定され、Ｌ字の上側面から上方に延出された第一のヒレ部が前記フロントキャビネットに固定される金属板の上パネルホルダと、
断面略Ｌ字型に成型されて、前記液晶モジュールの下側面から背面にかけての角を覆うように前記シールド板の背面下端に固定され、Ｌ字の下側面から下方に延出された第二のヒレ部が前記フロントキャビネットに固定される金属製の下パネルホルダと、
下端が前記下パネルホルダに固定されると共に、上端が前記上パネルホルダに固定され、前記上パネルホルダと前記下パネルホルダの間をブリッジ状に接続するシャーシブラケットと、
前記フロントキャビネットに後方から合わさって前記液晶モジュールと前記シールド板と前記上パネルホルダと前記下パネルホルダと前記シャーシブラケットとを内部に収容するキャビネットを構成するリアキャビネットと、
を備え、
前記シャーシブラケットに対して前記下パネルホルダと前記上パネルホルダとが固定され、これら３部材によって前記液晶モジュールが前記フロントキャビネットに対して固定される液晶テレビジョンにおいて、
前記上パネルホルダのＬ字の上側面には左右方向略中央を対称線として左右対称な位置にそれぞれ前記シールド板に向かうように切り起されてＬ字の上側面と平行となるように前方に折り曲げられる一対の第一の切り起しと、
前記下パネルホルダのＬ字の下側面には左右方向略中央を対称線として左右対称な位置にそれぞれ前記シールド板に向かうように切り起されてＬ字の下側面と平行となるように前方に折り曲げられる一対の第二の切り起しと、
シールド板の前記液晶モジュールの上側面を覆う部位の前端から上方に折り曲げられ、さらに所定長さ上の位置で後方に折り返されて前記液晶モジュールの背面と略一致する位置が端部となる第一の折り返し部と、
シールド板の前記液晶モジュールの下側面を覆う部位の前端から下方に折り曲げられ、さらに所定長さ下の位置で後方に折り返されて前記液晶モジュールの背面と略一致する位置が端部となる第二の折り返し部と、
上パネルホルダのＬ字の背面側下端の右端からクランク状の折り曲げ加工で前記シールド板に近づくように段差が形成されてから下に向けて延出された第一の延出面と、
上パネルホルダのＬ字の背面側下端の左端からクランク状の折り曲げ加工で前記シールド板に近づくように段差が形成されてから下に向けて延出された第二の延出面と、
下パネルホルダのＬ字の背面側上端の右端からクランク状の折り曲げ加工で前記シールド板に近づくように段差が形成されてから上に向けて延出された第三の延出面と、
下パネルホルダのＬ字の背面側上端の左端からクランク状の折り曲げ加工で前記シールド板に近づくように段差が形成されてから上に向けて延出された第四の延出面と、
を備え、
前記上パネルホルダと前記下パネルホルダは左右の幅が前記液晶モジュールの左右幅の１／２〜１／３であり、
前記第一のヒレ部と前記上パネルホルダのＬ字の上側面との間の角を潰すように絞り加工が施され、
前記第二のヒレ部と前記下パネルホルダのＬ字の下側面との間の角を潰すように絞り加工が施され、
前記段差には、Ｌ字の背面側から延出面まで段差内を連続して面状に窪ませる絞り加工が施され、
前記第一の切り起しが前記第一の折り返し部の後端部を挾持して前記シールド板に対して前記上パネルホルダを位置決めし、
前記第二の切り起しが前記第二の折り返し部の後端部を挾持して前記シールド板に対して前記下パネルホルダを位置決めし、
前記第一〜第四の延出面が前記シールド板の背面にネジ固定され、前記上パネルホルダのＬ字の上側面が前記第一の折り返し部の上側面にネジ固定され、前記下パネルホルダのＬ字の下側面が前記第二の折り返し部の下側面にネジ固定される
ことを特徴とする液晶テレビジョン。
【請求項２】
画面に映像を表示する液晶パネルと、
該液晶パネルを前面側から覆いつつ略矩形の開口から前記液晶パネルの画面を外部に露見させるフロントキャビネットと、
前記液晶パネルの背面および上下左右側面を覆う金属製のシールド板と、
断面略Ｌ字型に成型されて、前記液晶パネルの上側面から背面にかけての角を覆うように前記シールド板の背面上端に固定され、Ｌ字の上側面から上方に延出された第一のヒレ部が前記フロントキャビネットに固定される金属板の上パネルホルダと、
断面略Ｌ字型に成型されて、前記液晶パネルの下側面から背面にかけての角を覆うように前記シールド板の背面下端に固定され、Ｌ字の下側面から下方に延出された第二のヒレ部が前記フロントキャビネットに固定される金属製の下パネルホルダと、
下端が前記下パネルホルダに固定されると共に、上端が前記上パネルホルダに固定され、前記上パネルホルダと前記下パネルホルダの間をブリッジ状に接続する架橋部材と、
前記フロントキャビネットに後方から合わさって前記液晶パネルと前記シールド板と前記上パネルホルダと前記下パネルホルダと前記架橋部材とを内部に収容するキャビネットを構成するリアキャビネットと、
を備え、
前記架橋部材に対して前記下パネルホルダと前記上パネルホルダとが固定され、これら３部材によって前記液晶パネルが前記フロントキャビネットに対して固定される液晶パネル固定構造において、
前記上パネルホルダのＬ字の上側面から前記シールド板に向かうように切り起されてＬ字の上側面と平行となるように前方に折り曲げられる第一の切り起しと、
前記下パネルホルダのＬ字の下側面から前記シールド板に向かうように切り起されてＬ字の下側面と平行となるように前方に折り曲げられる第二の切り起しと、
シールド板の前記液晶モジュールの上側面を覆う部位の前端から上方に折り曲げられ、さらに所定長さ上の位置で後方に折り返される第一の折り返し部と、
シールド板の前記液晶モジュールの下側面を覆う部位の前端から下方に折り曲げられ、さらに所定長さ下の位置で後方に折り返される第二の折り返し部と、
上パネルホルダのＬ字の背面側下端の右端からクランク状の折り曲げ加工で段差が形成されてから下に向けて延出された第一の延出面と、
上パネルホルダのＬ字の背面側下端の左端からクランク状の折り曲げ加工で段差が形成されてから下に向けて延出された第二の延出面と、
下パネルホルダのＬ字の背面側上端の右端からクランク状の折り曲げ加工で段差が形成されてから上に向けて延出された第三の延出面と、
下パネルホルダのＬ字の背面側上端の左端からクランク状の折り曲げ加工で段差が形成されてから上に向けて延出された第四の延出面と、
を備え、
前記上パネルホルダと前記下パネルホルダは左右の幅が前記液晶モジュールの左右幅よりも短く形成され、
前記第一のヒレ部と前記上パネルホルダのＬ字の上側面との間の角を潰すように絞り加工が施され、
前記第二のヒレ部と前記下パネルホルダのＬ字の下側面との間の角を潰すように絞り加工が施され、
前記段差は、段差の両端を含んで内を連続して面状に窪ませる絞り加工が施され、
前記第一の切り起しが前記第一の折り返し部の後端部を挾持して前記シールド板に対して前記上パネルホルダを位置決めし、
前記第二の切り起しが前記第二の折り返し部の後端部を挾持して前記シールド板に対して前記下パネルホルダを位置決めし、
前記第一〜第四の延出面が前記シールド板の背面に固定され、前記上パネルホルダのＬ字の上側面が前記第一の折り返し部の上側面に固定され、前記下パネルホルダのＬ字の下側面が前記第二の折り返し部の下側面に固定されることを特徴とする液晶パネル固定構造。
【発明の詳細な説明】
【技術分野】
【０００１】
本発明は、液晶パネル固定構造及び液晶テレビジョンに関する。
【背景技術】
【０００２】
従来、液晶テレビジョンは、図１６のような構造が採用されていた。図１６に示すように、従来の液晶テレビジョンでは、背面および上下左右側面を金属製のシールド板３で覆われた液晶モジュール２が、各々金属板の折り曲げ成型により作成される上パネルホルダ５と下パネルホルダ６および左右のシャーシブラケット７，８を使用してフロントキャビネット１にネジ止めされ、その背面からフロントキャビネット１に合わさるようにリアキャビネット４を取り付けられる構造であった。
【０００３】
このような構造により、画面に映像を表示する液晶モジュール２は、フロントキャビネット１の略矩形の開口から画面を外部に露見させていた。液晶モジュール２には、液晶パネルやこの液晶パネルに背面から光を照射するバックライト、液晶パネルを駆動する駆動回路等が含まれている。また、シールド板３の背面には、ＰＣＢホルダーなどの板金が固定され、このＰＣＢホルダー上に電源回路、音声処理回路、映像処理回路、入出力回路などの各回路が搭載された回路基板が固定される。これらの回路が液晶テレビジョン全体を制御する。
【０００４】
図１７は上パネルホルダと下パネルホルダの斜視図である。上パネルホルダと下パネルホルダは同一形状であるため、上下共に図１７のパネルホルダが使用される。上パネルホルダ５と下パネルホルダ６は、共に断面略Ｌ字型に折り曲げ成型されており、Ｌ字の一方の面において左右端近傍と略中央から切り起されて略垂直に外方に延出され、各々の切り起し面に孔が設けられたヒレ部と、Ｌ字の他方の面の略中央に複数設けられたシールド板用孔と、液晶モジュール２の幅の１／３〜１／４に相当する間隔を空けてＬ字の他方の面の略中央を挟んで左右対称にそれぞれ設けられたネジ孔と、を備える。
上パネルホルダ５は、ヒレ部が上面側となるようにＬ字の開放側をシールド板３の上側面から背面にかけての角を覆うように合わせられ、シールド板用孔を通してシールド板３の背面上端に固定される。また、フロントキャビネット１には、ヒレ部の孔の位置に合わせてネジボスが設けられており、上パネルホルダ５はヒレ部の孔を通したネジによってネジボスに固定される。
下パネルホルダ６は、ヒレ部が下面側となるようにＬ字の開放側をシールド板３の下側面から背面にかけての角を覆うように合わせられ、シールド板用孔を通してシールド板３の背面下端に固定される。また、フロントキャビネット１には、ヒレ部の孔の位置に合わせてネジボスが設けられており、下パネルホルダ６はヒレ部の孔を通したネジによってネジボスに固定される。
さらに、上パネルホルダ５の上面および下パネルホルダ６の下面の左右端は、下方に向かって折り曲げ成型されている。この折り曲げ面はシールド板３の左右側面に略接触しており、上パネルホルダ５および下パネルホルダ６は折り曲げ面の孔を通してシールド板３の左右側面にネジ止めされる。
【０００５】
このように液晶モジュール２の背面を覆うシールド板３に対して固定された上パネルホルダ５と下パネルホルダ６に、左右のシャーシブラケット７，８が取り付けられる。シャーシブラケット７，８は、上パネルホルダ５に固定される上橋脚部と、下パネルホルダ６に固定される下橋脚部と、両橋脚を接続する橋梁部とを備える。シャーシブラケット７，８は、上下に長い板金を前後左右断面において略コ字型となるように成型するとともに上部と下部のコ字の端部を外方に略垂直に屈曲させてハット状に形成して両橋脚部とし、ハット状に形成されない中央部左右側面の前方略半分を切り取ることによりこの中央部をシールドパネルから所定距離後方にオフセットさせて橋梁部とする。このようにシャーシブラケット７，８は上パネルホルダ５と下パネルホルダ６との間をブリッジ状に接続している。
【０００６】
即ち、従来においては、上下のパネルホルダ５，６と左右のシャーシブラケット７，８が組み合わされて、ギリシャ数字の２を上下方向に縮めた形状のフレームを構成し、このフレームで液晶モジュール２をフロントキャビネット１に対して支持固定する液晶パネル固定構造が採用されていた。
【０００７】
表示パネルを筺体に対して支持する構造として、特許文献１記載の技術が知られている。この技術は、携帯電話等の表示パネルを枠状のパネルホルダによって筺体内部に保持するものである。
【特許文献１】特開２００３−３１６２７５号公報
【発明の開示】
【発明が解決しようとする課題】
【０００８】
前述した従来の液晶テレビジョンおよび液晶パネル固定構造においては、上パネルホルダや下パネルホルダが液晶モジュール２（シールド板３）の上端や下端を全体的に覆っていたため、液晶モジュール２の排熱効率を低下させていた。また、使用される板金の量が多く、コストアップが避けられなかった。
【０００９】
本発明は、前記課題に鑑みてなされたもので、液晶モジュール２の上端や下端での排熱効率を向上させると共に、使用される板金の量を減らしてコストダウンすることが可能な液晶テレビジョンおよび液晶パネル固定構造の提供を目的とする。
【課題を解決するための手段】
【００１０】
前記課題を解決するために、本発明の液晶パネル固定構造では、画面に映像を表示する液晶パネルと、該液晶パネルを前面側から覆いつつ略矩形の開口から前記液晶パネルの画面を外部に露見させるフロントキャビネットと、前記液晶パネルの背面および上下左右側面を覆う金属製のシールド板と、断面略Ｌ字型に成型されて、前記液晶パネルの上側面から背面にかけての角を覆うように前記シールド板の背面上端に固定され、Ｌ字の上側面から上方に延出された第一のヒレ部が前記フロントキャビネットに固定される金属板の上パネルホルダと、断面略Ｌ字型に成型されて、前記液晶パネルの下側面から背面にかけての角を覆うように前記シールド板の背面下端に固定され、Ｌ字の下側面から下方に延出された第二のヒレ部が前記フロントキャビネットに固定される金属製の下パネルホルダと、下端が前記下パネルホルダに固定されると共に、上端が前記上パネルホルダに固定され、前記上パネルホルダと前記下パネルホルダの間をブリッジ状に接続する架橋部材と、前記フロントキャビネットに後方から合わさって前記液晶パネルと前記シールド板と前記上パネルホルダと前記下パネルホルダと前記架橋部材とを内部に収容するキャビネットを構成するリアキャビネットと、を備え、前記架橋部材に対して前記下パネルホルダと前記上パネルホルダとが固定され、これら３部材によって前記液晶パネルが前記フロントキャビネットに対して固定される液晶パネル固定構造において、前記上パネルホルダのＬ字の上側面から前記シールド板に向かうように切り起されてＬ字の上側面と平行となるように前方に折り曲げられる第一の切り起しと、前記下パネルホルダのＬ字の下側面から前記シールド板に向かうように切り起されてＬ字の下側面と平行となるように前方に折り曲げられる第二の切り起しと、シールド板の前記液晶モジュールの上側面を覆う部位の前端から上方に折り曲げられ、さらに所定長さ上の位置で後方に折り返される第一の折り返し部と、シールド板の前記液晶モジュールの下側面を覆う部位の前端から下方に折り曲げられ、さらに所定長さ下の位置で後方に折り返される第二の折り返し部と、上パネルホルダのＬ字の背面側下端の右端からクランク状の折り曲げ加工で段差が形成されてから下に向けて延出された第一の延出面と、上パネルホルダのＬ字の背面側下端の左端からクランク状の折り曲げ加工で段差が形成されてから下に向けて延出された第二の延出面と、下パネルホルダのＬ字の背面側上端の右端からクランク状の折り曲げ加工で段差が形成されてから上に向けて延出された第三の延出面と、下パネルホルダのＬ字の背面側上端の左端からクランク状の折り曲げ加工で段差が形成されてから上に向けて延出された第四の延出面と、を備え、前記上パネルホルダと前記下パネルホルダは左右の幅が前記液晶モジュールの左右幅よりも短く形成され、前記第一のヒレ部と前記上パネルホルダのＬ字の上側面との間の角を潰すように絞り加工が施され、前記第二のヒレ部と前記下パネルホルダのＬ字の下側面との間の角を潰すように絞り加工が施され、前記段差は、段差の両端を含んで内を連続して面状に窪ませる絞り加工が施され、前記第一の切り起しが前記第一の折り返し部の後端部を挾持して前記シールド板に対して前記上パネルホルダを位置決めし、前記第二の切り起しが前記第二の折り返し部の後端部を挾持して前記シールド板に対して前記下パネルホルダを位置決めし、前記第一〜第四の延出面が前記シールド板の背面に固定され、前記上パネルホルダのＬ字の上側面が前記第一の折り返し部の上側面に固定され、前記下パネルホルダのＬ字の下側面が前記第二の折り返し部の下側面に固定される構成としてある。
【００１１】
また、前記目的を達成するために、請求項１に記載の液晶テレビジョンでは、画面に映像を表示する液晶パネルと該液晶パネルを背面から照射するバックライトと該液晶パネルを駆動する駆動回路とがモジュール化された液晶モジュールと、該液晶モジュールを前面側から覆いつつ略矩形の開口から前記液晶モジュールの画面を外部に露見させるフロントキャビネットと、前記液晶モジュールの背面および上下左右側面を覆う金属製のシールド板と、断面略Ｌ字型に成型されて、前記液晶モジュールの上側面から背面にかけての角を覆うように前記シールド板の背面上端に固定され、Ｌ字の上側面から上方に延出された第一のヒレ部が前記フロントキャビネットに固定される金属板の上パネルホルダと、断面略Ｌ字型に成型されて、前記液晶モジュールの下側面から背面にかけての角を覆うように前記シールド板の背面下端に固定され、Ｌ字の下側面から下方に延出された第二のヒレ部が前記フロントキャビネットに固定される金属製の下パネルホルダと、下端が前記下パネルホルダに固定されると共に、上端が前記上パネルホルダに固定され、前記上パネルホルダと前記下パネルホルダの間をブリッジ状に接続するシャーシブラケットと、前記フロントキャビネットに後方から合わさって前記液晶モジュールと前記シールド板と前記上パネルホルダと前記下パネルホルダと前記シャーシブラケットとを内部に収容するキャビネットを構成するリアキャビネットと、を備え、前記シャーシブラケットに対して前記下パネルホルダと前記上パネルホルダとが固定され、これら３部材によって前記液晶モジュールが前記フロントキャビネットに対して固定される液晶テレビジョンにおいて、前記上パネルホルダのＬ字の上側面には左右方向略中央を対称線として左右対称な位置にそれぞれ前記シールド板に向かうように切り起されてＬ字の上側面と平行となるように前方に折り曲げられる一対の第一の切り起しと、前記下パネルホルダのＬ字の下側面には左右方向略中央を対称線として左右対称な位置にそれぞれ前記シールド板に向かうように切り起されてＬ字の下側面と平行となるように前方に折り曲げられる一対の第二の切り起しと、シールド板の前記液晶モジュールの上側面を覆う部位の前端から上方に折り曲げられ、さらに所定長さ上の位置で後方に折り返されて前記液晶モジュールの背面と略一致する位置が端部となる第一の折り返し部と、シールド板の前記液晶モジュールの下側面を覆う部位の前端から下方に折り曲げられ、さらに所定長さ下の位置で後方に折り返されて前記液晶モジュールの背面と略一致する位置が端部となる第二の折り返し部と、上パネルホルダのＬ字の背面側下端の右端からクランク状の折り曲げ加工で前記シールド板に近づくように段差が形成されてから下に向けて延出された第一の延出面と、上パネルホルダのＬ字の背面側下端の左端からクランク状の折り曲げ加工で前記シールド板に近づくように段差が形成されてから下に向けて延出された第二の延出面と、下パネルホルダのＬ字の背面側上端の右端からクランク状の折り曲げ加工で前記シールド板に近づくように段差が形成されてから上に向けて延出された第三の延出面と、下パネルホルダのＬ字の背面側上端の左端からクランク状の折り曲げ加工で前記シールド板に近づくように段差が形成されてから上に向けて延出された第四の延出面と、を備え、前記上パネルホルダと前記下パネルホルダは左右の幅が前記液晶モジュールの左右幅の１／２〜１／３であり、前記第一のヒレ部と前記上パネルホルダのＬ字の上側面との間の角を潰すように絞り加工が施され、前記第二のヒレ部と前記下パネルホルダのＬ字の下側面との間の角を潰すように絞り加工が施され、前記段差には、Ｌ字の背面側から延出面まで段差内を連続して面状に窪ませる絞り加工が施され、前記第一の切り起しが前記第一の折り返し部の後端部を挾持して前記シールド板に対して前記上パネルホルダを位置決めし、前記第二の切り起しが前記第二の折り返し部の後端部を挾持して前記シールド板に対して前記下パネルホルダを位置決めし、前記第一〜第四の延出面が前記シールド板の背面にネジ固定され、前記上パネルホルダのＬ字の上側面が前記第一の折り返し部の上側面にネジ固定され、前記下パネルホルダのＬ字の下側面が前記第二の折り返し部の下側面にネジ固定される構成としてある。
【発明の効果】
【００１２】
以上説明したように本発明によれば、液晶モジュール２の上端や下端での排熱効率を向上させると共に、使用される板金の量を減らしてコストダウンすることが可能な液晶テレビジョンおよび液晶パネル固定構造および液晶テレビジョンを提供できる。
【発明を実施するための最良の形態】
【００１３】
以下、下記の順序に従って本発明の実施形態を説明する。
（１）液晶テレビジョンの概略構成：
（２）パネル固定構造：
（３）まとめ：
【００１４】
（１）液晶テレビジョンの概略構成： 
以下、図１〜図１４を参照して本発明の実施形態について説明する。まず、液晶テレビジョンの概略構成について図１〜図４を参照して説明する。図１は液晶テレビジョンの分解斜視図、図２はシャーシブラケットの斜視図、図３はシャーシブラケットの背面図、図４はシャーシブラケットの左側面図、である。
【００１５】
液晶テレビジョン１００は、背面および上下左右側面を金属製のシールド板１３で覆われた液晶モジュール１２が、各々金属板の折り曲げ成型により作成される上パネルホルダ１５と下パネルホルダ１６および左右のシャーシブラケット１７，１８を使用してフロントキャビネット１１にネジ止めされ、その背面からフロントキャビネット１１に合わさるようにリアキャビネット１４を取り付けられてキャビネットを構成している。このキャビネットには、少なくとも、上パネルホルダ１５、下パネルホルダ１６、左右のシャーシブラケット１７，１８、液晶モジュール１２、シールド板１３、後述の回路基板、を内部に収容する。
【００１６】
画面に映像を表示する液晶モジュール１２は、前面側からフロントキャビネット１１に覆われつつフロントキャビネット１１の略矩形の開口から画面を外部に露見させている。液晶モジュール１２には、液晶パネルやこの液晶パネルに背面から光を照射するバックライト、液晶パネルを駆動する駆動回路等がモジュール化されたものである。また、シールド板１３の背面には、ＰＣＢホルダーなどの板金が固定され、このＰＣＢホルダー上に電源回路、音声処理回路、映像処理回路、インバータ回路、入出力回路などの各回路が搭載された回路基板が固定される。これらの回路が液晶テレビジョン全体を制御する。
【００１７】
上パネルホルダ１５と下パネルホルダ１６は、断面略Ｌ字状であり、上パネルホルダ１５が液晶モジュール１２の上側面から背面にかけての角を、下パネルホルダ１６が下側面から背面にかけての角を、それぞれ覆うように取り付けられる。その際、上パネルホルダ１５と下パネルホルダ１６は、シールド板１３およびフロントキャビネット１１にネジ止めされており、液晶モジュール１２をフロントキャビネット１１に対して固定することになる。
【００１８】
上パネルホルダ１５と下パネルホルダ１６には、左右のシャーシブラケット１７，１８が取り付けられる。シャーシブラケット１７は、上パネルホルダ１５に固定される上橋脚部１７ａと、下パネルホルダ１６に固定される下橋脚部１７ｂと、上橋脚部１７ａを下橋脚部１７ｂに接続する橋梁部１７ｃを備える。シャーシブラケット１８は、上パネルホルダ１５に固定される上橋脚部１８ａと、下パネルホルダ１６に固定される下橋脚部１８ｂと、上橋脚部１８ａを下橋脚部１８ｂに接続する橋梁部１８ｃを備える。
【００１９】
シャーシブラケット１７，１８は、上下に長い板金を前後左右断面において略コ字型となるように成型されるとともに、上部と下部のコ字の端部を外方に略垂直に屈曲させてハット状に形成して橋脚部とし、ハット状に形成されない中央部左右側面をコ字の形状は残しつつ前端部から所定長さを切り取ることにより、この中央部とシールド板１３との間に空間が形成されるようにして橋梁部とする。
【００２０】
即ち、従来と同様に、上下のパネルホルダ１５，１６と左右のシャーシブラケット（架橋部材）１７，１８が組み合わされて、ギリシャ数字の２を上下方向に縮めた形状のフレームを構成し、このフレームで液晶モジュール１２をフロントキャビネット１１に対して支持固定する。但し、以下に記載するように、上下のパネルホルダ１５，１６の左右長さが従来よりも短くされており、液晶モジュールの左右幅よりも大幅に短くなっている。これに伴ってパネルホルダ１５，１６の形状を変更し、各種補強を行う。
【００２１】
（２）パネル固定構造： 
以下、図５〜図１５を参照して液晶パネルをフロントキャビネットに対して固定する液晶パネル固定構造について説明する。図５は液晶テレビジョンのリアキャビネットを取り外した状態の背面図、図６は液晶テレビジョンのリアキャビネットを取り外した状態の要部を示した部分斜視図、図７はフロントキャビネットに液晶モジュールとシールドパネルを載置した状態の背面図、図８は上パネルホルダの斜視図、図９は上パネルホルダの背面図、図１０は上パネルホルダの平面図、図１１は上パネルホルダの右側面図、図１２は下パネルホルダの斜視図、図１３は下パネルホルダの背面図、図１４は下パネルホルダの底面図、図１５は下パネルホルダの左側面図、である。
【００２２】
上パネルホルダ１５は、幅が液晶モジュール１２の幅の１／２〜１／３となる板金を断面略Ｌ字型に折り曲げて成型されている。そして、Ｌ字の一方の面１５ａにおいて略中央の端部から略垂直に外方に折り曲げて延出され、延出された面に孔１５ｍが設けられたヒレ部１５ｃと、面１５ａに左右に所定距離を開けて形成された孔１５ｋ，１５ｌと、面１５ａにおいてＬ字の屈曲部分近くに左右に並べて複数形成された放熱孔１５ｊと、Ｌ字の他方の面１５ｂを液晶モジュール１２の背面に近づけるようにオフセットさせるために形成された段差１５ｈ，１５ｉと、段差により形成されてその面上に孔１５ｎ，１５ｏが設けられた延出面１５ｄ，１５ｅと、を備える。
上パネルホルダ１５は、面１５ａが上面側となるようにＬ字の開放側をシールド板１３の上側面から背面にかけての角を覆うように合わせられ、孔１５ｋ，１５ｌを通してシールド板１３にネジ固定されている。シールド板１３には孔１５ｋ、１５ｌに対応する位置にネジ孔が設けられている。また、フロントキャビネット１１には、ヒレ部の孔１５ｍの位置に合わせてネジボス１１ａが設けられており、上パネルホルダ１５は孔１５ｍを通したネジによってネジボス１１ａに固定されている。
【００２３】
下パネルホルダ１６も、幅が液晶モジュール１２の幅の１／２〜１／３となる板金を断面略Ｌ字型に折り曲げて成型されている。そして、Ｌ字の一方の面１６ａにおいて略中央の端部から略垂直に外方に折り曲げて延出され、延出された面に孔１６ｍが設けられたヒレ部１６ｃと、面１６ａの左右に所定距離を開けて形成された孔１６ｋ，１６ｌと、面１６ａにおいてＬ字の屈曲部分近くに左右に並べて複数形成された放熱孔１６ｊと、Ｌ字の他方の面１６ｂを液晶モジュール１２の背面に近づけるようにオフセットさせるために形成された段差１６ｈ，１６ｉと、段差により形成されてその面上に孔１６ｎ，１６ｏが設けられた延出面１６ｄ，１６ｅと、を備える。
下パネルホルダ１６は、面１６ａが下面側となるようにＬ字の開放側をシールド板１３の下側面から背面にかけての角を覆うように合わせられ、孔１６ｋ，１６ｌを通してシールド板１３にネジ固定されている。シールド板１３には孔１６ｋ，１６ｌに対応する位置にネジ孔が設けられている。また、フロントキャビネット１１には、ヒレ部の孔１６ｍの位置に合わせてネジボス１１ｂが設けられており、下パネルホルダ１６は孔１６ｍを通したネジによってネジボス１１ｂに固定されている。
【００２４】
ヒレ部１５ｃ（第一のヒレ部）には、面１５ａとの間の角を潰すように絞り加工が施され、同様にヒレ部１６ｃ（第二のヒレ部）にも、面１６ａとの間の角を潰すように絞り加工が施され、ヒレ部１５ｃとヒレ部１６ｃの折り曲げられた部位を補強している。
【００２５】
上パネルホルダ１５の背面側の面１５ｂは、下方を開口したコ字状となるように下端の左端および右端のそれぞれから下に向けて延出された延出面１５ｄ，１５ｅを有し、この延出面１５ｄの根元には段差１５ｈが、延出面１５ｅの根元には段差１５ｉが設けられている。これら段差１５ｈ，１５ｉは、延出面１５ｄ（第一の延出面），１５ｅ（第二の延出面）が面１５ｂよりも液晶モジュール１２の背面に近づくようにするものであり、延出面１５ｄ，１５ｅの根元を鈍角（９０°より大きな角度）でクランク状に２度折り曲げ加工することで形成される。さらにこの段差１５ｈ，１５ｉは、これら段差に隣接する面１５ｂと延出面１５ｄを含んで連続して面状に窪ませる凹み加工１５ｘと、面１５ｂと延出面１５ｅの両端を含んで連続して面状に窪ませる凹み加工１５ｙと、が施されることにより補強されている。
【００２６】
同様に、下パネルホルダ１６の背面側の面１６ｂは、上方を開口したコ字状となるように上端の左端および右端のそれぞれから上に向けて延出された延出面１６ｄ，１６ｅを有し、この延出面１６ｄの根元には段差１６ｈが、延出面１６ｅの根元には段差１６ｉが設けられている。これら段差１６ｈ，１６ｉは、延出面１６ｄ（第三の延出面），１６ｅ（第四の延出面）が面１６ｂよりも液晶モジュール１２の背面に近づくようにするものであり、延出面１６ｄ，１６ｅの根元を鈍角（９０°より大きな角度）でクランク状に２度折り曲げ加工することで形成される。さらにこの段差１６ｈ，１６ｉは、これら段差に隣接する面１６ｂと延出面１６ｄを含んで連続する面状の凹み加工１６ｘと、面１６ｂと延出面１６ｅの両端を含んで連続する凹み加工１６ｙと、が施されることにより補強されている。
【００２７】
これら延出面においては、延出面１５ｄには孔１５ｎが、延出面１５ｅには孔１５ｏが、延出面１６ｄには孔１６ｎが、延出面１６ｅには孔１６ｏが、それぞれ形成されている。そして、シールド板１３には、これらの孔１５ｎ，１５ｏ，１６ｎ，１６ｏの位置に合わせて鉤状の切り起し１３ｃ，１３ｄ，１３ｅ，１３ｆが形成される。これら切り起しは、シールド板１３から切り起されるとともに、所定高さでシールド板１３の背面と平行な面と成るように折り曲げられて鉤状に形成される。この平行な面にネジ孔１３ｇ，１３ｈ，１３ｉ，１３ｊが形成されている。これらのネジ孔には、各孔１５ｎ，１５ｏ，１６ｎ，１６ｏに通されたネジがそれぞれネジ止めされる。これにより、上パネルホルダ１５とシールド板１３が、下パネルホルダ１６とシールド板１３がそれぞれ固定される。
【００２８】
シールド板１３には、液晶モジュール１２の上側面を覆う部位の前端から上方に折り曲げられ、さらに所定長さ上の位置で後方に折り返される折り返し部１３ａが形成される。また液晶モジュール１２の下側面でも同様に、下側面の前端から下方に折り曲げられ、さらに所定長さ下の位置で後方に折り返されて折り返し部１３ｂが形成される。これら折り返し部は前後方向において、液晶モジュール１２の背面と略一致する位置が端部となる。  上パネルホルダの面１５ａおよび下パネルホルダの面１６ａには、シールド板１３に面する側に向かって、左右方向略中央を対称線として左右対称になる２つの切り起しがそれぞれ形成される。これら上パネルホルダの一対の切り起し１５ｆ，１５ｇは面１５ａと、下パネルホルダの一対の切り起し１６ｆ，１６ｇは面１６ａと、それぞれ切り起しの根元からシールド板１３の厚みと略一致する高さで略平行となるように前方に折り曲げられて鉤状にされる。
【００２９】
上下のパネルホルダ１５，１６がシールド板１３に取り付けられる際には、切り起し１５ｆ，１５ｇが切り起しの隙間に折り返し部１３ａの後端部を挾持することにより切り起し１５ｆ，１５ｇが上パネルホルダ１５の位置決めとして機能し、切り起し１６ｆ，１６ｇがきり起しの隙間に折り返し部１３ｂの後端部を挾持することにより切り起し１６ｆ，１６ｇが下パネルホルダ１６の位置決めとして機能する。
【００３０】
そして、切り起し１５ｆ，１５ｇと折り返し部１３ａが係合した状態で上パネルホルダ１５と折り返し部１３ａとがネジ固定される。このネジ固定は、上パネルホルダ１５の上側面に形成された孔１５ｋ，１５ｌを挿通したネジが、折り返し部１３ａに形成されたネジ孔にネジ止めされることでなされる。同様に、切り起し１６ｆ，１６ｇと折り返し部１３ｂが係合した状態で下パネルホルダ１６と折り返し部１３ｂとがネジ固定される。ネジ固定は、下パネルホルダ１６の下側面の左右の端部に形成された孔１６ｋ，１６ｌを挿通したネジが、折り返し部１３ｂに形成されたネジ孔にネジ止めされることでなされる。
【００３１】
上パネルホルダの面１５ａにはＬ字の角近くに板金を貫通する放熱孔１５ｊが設けられ、下パネルホルダの面１６ａにはＬ字の角近くに板金を貫通する放熱孔１６ｊが設けられ、シールド板１３ひいては液晶モジュール１２から発生する熱がパネルホルダ１５，１６の内側に篭らないようにしている。この放熱孔１５ｊ，１６ｊは、丸孔とされ、Ｌ字の角近くに左右に並べて複数形成される。丸孔として形成することにより、パネルホルダ１５，１６の強度低下を最小限に抑えつつ、放熱を行える構造とすることができる。
【００３２】
さらに、上パネルホルダの面１５ｂには、シャーシブラケット１７，１８をネジ固定するためのネジ孔１５ｐ，１５ｑ，１５ｒ，１５ｓが設けられ、下パネルホルダ１６の面１６ｂにもシャーシブラケット１７，１８をネジ固定するためのネジ孔１６ｐ，１６ｑ，１６ｒ，１６ｓが形成される。さらにこれらネジ孔と上下に並べて背面側に突出する突起１５ｔ，１５ｕ，１５ｖ，１５ｗが上パネルホルダの面１５ｂに、突起１６ｔ，１６ｕ，１６ｖ，１６ｗが下パネルホルダの面１６ｂに、それぞれ形成されている。
【００３３】
同時に、シャーシブラケット１７の上橋脚部１７ａと下橋脚部１７ｂでハット状に広がるヒレ状の部位にはネジを挿通する孔１７ｄ，１７ｅ，１７ｆ，１７ｇが形成され、これらの孔と上下に並べて孔１７ｈ，１７ｉ，１７ｊ，１７ｋも形成される。また、シャーシブラケット１８の上橋脚部１８ａと下橋脚部１８ｂでハット状に広がるヒレ状の部位にはネジを挿通する孔１８ｄ，１８ｅ，１８ｆ，１８ｇが形成され、これらの孔と上下に並べて孔１８ｈ，１８ｉ，１８ｊ，１８ｋも形成される。
【００３４】
従って、これらシャーシブラケット１７，１８をパネルホルダに取りつけ固定する際は、孔１７ｈ，１７ｉ，１７ｊ，１７ｋ，１８ｈ，１８ｉ，１８ｊ，１８ｋに順に突起１５ｕ，１５ｔ，１５ｗ，１５ｖ，１６ｕ，１６ｔ，１６ｗ，１６ｖが挿入されるようにシャーシブラケット１７，１８を載置し、孔１７ｄを挿通してネジ孔１５ｑに、孔１７ｅを挿通してネジ孔１５ｐに、孔１７ｆを挿通してネジ孔１６ｑに、孔１７ｇを挿通してネジ孔１６ｐに、孔１８ｄを挿通してネジ孔１５ｓに、孔１８ｅを挿通してネジ孔１５ｒに、孔１８ｆを挿通してネジ孔１６ｓに、孔１８ｇを挿通してネジ孔１６ｒに、それぞれネジ固定される。
【００３５】
（３）まとめ： 
つまり、上パネルホルダ１５と下パネルホルダ１６の左右の幅を液晶モジュール１２の左右幅の１／２〜１／３とし、ヒレ部１５ｃと面１５ａとの間の角を潰すように絞り加工を施し、ヒレ部１６ｃと面１６ａとの間の角を潰すように絞り加工を施し、延出面１５ｄ，１５ｅと面１５ｂとの間の段差１５ｈ，１５ｉに面１５ｂから延出面１５ｄ，１５ｅまで段差内を連続して面状に凹まされる絞り加工を施し、延出面１６ｄ，１６ｅと面１６ｂとの間の段差１６ｈ，１６ｉに面１６ｂから延出面１６ｄ，１６ｅまで段差内を連続して面状に凹まされる絞り加工を施し、切り起し１５ｋ，１５ｇが折り返し部１３ａの後端部を挾持して上パネルホルダ１５を位置決めし、切り起し１６ｋ，１６ｌが折り返し部１３ｂの後端部を挾持して下パネルホルダ１６を位置決めされるようにする。これにより、液晶モジュールの上端や下端での排熱効率を向上させると共に、使用される板金の量を減らしてコストダウンすることが可能な液晶テレビジョンおよび液晶パネル固定構造が提供可能となる。
【００３６】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【図面の簡単な説明】
【００３７】
【図１】液晶テレビジョンの分解斜視図である。
【図２】右シャーシブラケット（左シャーシブラケット）を斜め上から見て示した斜視図である。（括弧内の符号は左シャーシブラケットの符号である。）
【図３】右シャーシブラケット（左シャーシブラケット）の背面図である。（括弧内の符号は左シャーシブラケットの符号である。）
【図４】右シャーシブラケット（左シャーシブラケット）の左側面図である。（括弧内の符号は左シャーシブラケットの符号である。）
【図５】液晶テレビジョンのリアキャビネットを外した背面図である。
【図６】液晶テレビジョンのリアキャビネットを外して斜め上から見た斜視図である。
【図７】フロントキャビネットに液晶モジュールとシールドパネルを載置した状態の背面図である。
【図８】上パネルホルダを斜め上から見て示した斜視図である。
【図９】上パネルホルダの背面図である。
【図１０】上パネルホルダの平面図である。
【図１１】上パネルホルダの右側面図である。
【図１２】下パネルホルダを斜め下から見て示した斜視図である。
【図１３】下パネルホルダの背面図である。
【図１４】下パネルホルダの底面図である。
【図１５】下パネルホルダの左側面図である。
【図１６】従来の液晶テレビジョンの分解斜視図である。
【図１７】従来のパネルホルダの斜視図である。
【符号の説明】
【００３８】
１１…フロントキャビネット、１１ａ…ネジボス、１１ｂ…ネジボス、１２…液晶モジュール、１３…シールド板、１３ａ…折り返し部、１３ｂ…折り返し部、１３ｇ…ネジ孔、１３ｈ…ネジ孔、１３ｉ…ネジ孔、１３ｊ…ネジ孔、１４…リアキャビネット、１５…上パネルホルダ、１５ａ…面、１５ｂ…面、１５ｃ…ヒレ部、１５ｄ…延出面、１５ｅ…延出面、１５ｊ…放熱孔、１５ｋ，１５ｌ，１５ｍ，１５ｎ，１５ｏ…孔、１５ｐ，１５ｑ，１５ｒ，１５ｓ…ネジ孔、１５ｔ，１５ｕ，１５ｖ，１５ｗ…突起、１５ｘ，１５ｙ…凹み加工、１６…下パネルホルダ、１６ａ…面、１６ｂ…面、１６ｃ…ヒレ部、１６ｄ…延出面、１６ｅ…延出面、１６ｊ…放熱孔、１６ｋ，１６ｌ，１６ｍ，１６ｎ，１６ｏ…孔、１６ｐ，１６ｑ，１６ｒ，１６ｓ…ネジ孔、１６ｔ，１６ｕ，１６ｖ，１６ｗ…突起、１６ｘ，１６ｙ…凹み加工、１７…シャーシブラケット、１７ａ…上橋脚部、１７ｂ…下橋脚部、１７ｃ…橋梁部、１７ｄ，１７ｅ，１７ｆ，１７ｇ，１７ｈ，１７ｉ，１７ｊ，１７ｋ…孔、１８…シャーシブラケット、１８ａ…上橋脚部、１８ｂ…下橋脚部、１８ｃ…橋梁部、１８ｄ，１８ｅ，１８ｆ，１８ｇ，１８ｈ，１８ｉ，１８ｊ，１８ｋ…孔、１００…液晶テレビジョン、１…フロントキャビネット、２…液晶モジュール、３…シールド板、４…リアキャビネット、５…上パネルホルダ、６…下パネルホルダ、７…シャーシブラケット、８…シャーシブラケット
【図１】
2008216820.tif 000003
【図２】
2008216820.tif 000004
【図３】
2008216820.tif 000005
【図４】
2008216820.tif 000006
【図５】
2008216820.tif 000007
【図６】
2008216820.tif 000008
【図７】
2008216820.tif 000009
【図８】
2008216820.tif 000010
【図９】
2008216820.tif 000011
【図１０】
2008216820.tif 000012
【図１１】
2008216820.tif 000013
【図１２】
2008216820.tif 000014
【図１３】
2008216820.tif 000015
【図１４】
2008216820.tif 000016
【図１５】
2008216820.tif 000017
【図１６】
2008216820.tif 000018
【図１７】
2008216820.tif 000019